(57)【要約】【課題】  折り畳みを可能にして移送可能にすると共に製品コストの低廉化を可能にする。【解決手段】  四方に配置される縦支柱１のうちの左右側面を形成する各一対の縦支柱１が上下方向に配置される複数本の横繋ぎ材２で一体的に連結され、この左右側面を形成する縦支柱１が正面を形成する左右の縦支柱１とされながら折り畳み体３で連結され、左右側面における横繋ぎ材２に架け渡される足場板４を有し、各縦支柱の下端部にキャスタ５を有してなり、折り畳み体３が基端を縦支柱１に枢着させる左方体３０および右方体３１を有し、この左方体３０および右方体３１の先端部がヒンジ結合部３２とされて、この足場装置における左右側面を重ねるようにする折り畳みを可能にする。【選択図】  図１
2008267050.tif 000002
【特許請求の範囲】
【請求項１】
平面形状が矩形になる空間を内側に形成するように配置される四本の縦支柱を有すると共に、左側面および右側面をそれぞれ形成する各一対の縦支柱が上下方向に適宜の間隔を有して配置される複数本の横繋ぎ材で一体的に連結され、この左側面および右側面を形成する縦支柱が正面を形成する左右の縦支柱とされながらこの正面に配置される折り畳み体で連結され、この折り畳み体がそれぞれの基端に連設されたパイプ体からなるソケットを縦支柱に介装させる左方体および右方体を有すると共に、この左方体および右方体の先端部がヒンジ結合部とされ、このヒンジ結合部が縦方向に延在される芯体と、この芯体を内側に挿通させるパイプ体からなるソケットとからなり、芯体の上下端部に左方体あるいは右方体のいずれか一方の先端が連結されるのに対して芯体の上下端部の間に配設のソケットに上記の左方体あるいは右方体のいずれか他方の先端が連結されてなり、左側面および右側面における横繋ぎ材に架け渡される足場板を有してなると共に、各縦支柱の下端部にキャスタを有してなることを特徴とする足場装置。
【請求項２】
縦支柱の上端部に下端部が分離可能に連結されて平面形状が矩形になる空間を内側に形成する四本の縦材を有すると共に、左側面および右側面をそれぞれ形成する各一対の縦材が上下方向に適宜の間隔を有して配置される複数本の横繋ぎ材で一体的に連結され、この左側面および右側面を形成する縦材が正面を形成する左右の縦材とされながらこの正面に配置される折り畳み体で連結され、この折り畳み体がそれぞれの基端に連設されたパイプ体からなるソケットを縦材に介装させる左方体および右方体を有すると共に、この左方体および右方体の先端部がヒンジ結合部とされ、このヒンジ結合部が縦方向に延在される芯体と、この芯体を内側に挿通させるパイプ体からなるソケットとからなり、芯体の上下端部に左方体あるいは右方体のいずれか一方の先端が連結されるのに対して芯体の上下端部の間に配設のソケットに上記の左方体あるいは右方体のいずれか他方の先端が連結されてなり、左側面および右側面における横繋ぎ材への足場板の架け渡しを許容する延長枠を有してなる請求項１に記載の足場装置。
【請求項３】
背面を形成する左右の縦支柱および縦材がこの背面に配置されるブレースで連結されてなる請求項１または請求項２に記載の足場装置。
【請求項４】
正面および背面を形成するそれぞれの左右となる縦支柱の上端部に、あるいは、正面および背面を形成するそれぞれの左右となる縦材の上端部に架け渡されるようにそれぞれの手摺体が着脱可能に連結されると共に、各手摺体が左右のいずれか一方の端部に基端部を枢着させながら先端部を水平方向に旋回可能にして対向する手摺体への連結を可能にする横向きＵ字状あるいはループ状に形成された埒体を有してなると共に、この埒体が折り畳み時に手摺体の平面内に収装されてなる請求項１、請求項２または請求項３に記載の足場装置。
【請求項５】
横繋ぎ材に架け渡される足場板が下底面に形成の凹部に横繋ぎ材を嵌入させて足場板の長さ方向への位置ずれを阻止されると共に、下底面に配設のストッパ機構によって横繋ぎ材から離座する浮き上がりを阻止されてなる請求項１、請求項２、請求項３または請求項４に記載の足場装置。
【請求項６】
左側面および右側面を形成する各一対の縦支柱の下端部にアウトリガ構成体を有し、このアウトリガ構成体が上記一対となる各縦支柱の下端部に一体的に連結されながら正面側および背面側に延びて下端部にキャスタを保持する拡幅脚と、この拡幅脚にブラケットを介して回動可能に保持されながらブラケットに螺装された蝶ボルトの先端の凹部への導入で回動が阻止されるアウトリガを有してなる請求項１、請求項２、請求項３、請求項４または請求項５に記載の足場装置。
【請求項７】
左側面あるいは右側面を形成する一対となる縦支柱の下端部に上端部が連結されると共に下端部が上記一対となる縦支柱の下端部の下方に延在されながら伸縮可能とされる高さ調整枠を有してなる請求項１、請求項２、請求項３、請求項４、請求項５または請求項６に記載の足場装置。
【発明の詳細な説明】
【技術分野】
【０００１】
この発明は、足場装置に関し、特に、折り畳んでの移動を可能にする足場装置の改良に関する。
【背景技術】
【０００２】
たとえば、作業台としての利用に向く足場装置としては、従来から種々の提案があるが、その中で、特許文献１には、折り畳み可能にして移動可能にする足場装置の提案が開示されている。
【０００３】
すなわち、この特許文献１に開示の足場装置は、上段の手摺枠部と、中段の足場板支持部と、下段のキャスタ部とを互いに着脱可能に有してなり、特に、中段の足場板支持部が長手方向の中央部にヒンジを設けて平面Ｍ字形状に折り畳めるとしている。
【０００４】
それゆえ、この足場装置によれば、中段の足場板支持部から上段の手摺枠部を取り外した状態にしてこの足場板支持部を折り畳むことで、いわゆるコンパクト化し得ることになり、このコンパクト化された状態下にキャスタの利用で所望位置への移送が可能になる。
【特許文献１】特公平７‐７３８２９号公報（特許請求の範囲、段落００２１、同００２２、図１、図３参照）
【発明の開示】
【発明が解決しようとする課題】
【０００５】
しかしながら、上記した特許文献１に開示の提案にあっては、折り畳み可能にしてキャスタ利用による移動を可能にする点で、基本的に問題がある訳ではないが、製品の汎用性を期待する上で些か不利があると指摘される可能性がある。
【０００６】
すなわち、上記した特許文献１に開示の足場装置にあって、中段の足場板支持部は、長手方向の中央部に設けられたヒンジ部分で平面Ｍ字形状に折り畳めるとしているが、このとき、ヒンジは、回動孔に回動自在に取り付けたＵ字形ピンを固定溝に着脱自在に取り付けてなるとしている。
【０００７】
そして、回動孔は、半円形で２段互い違いに組み合わせ形成された板状体に開穿され、この板状体に足場板支持部を形成する折り曲げ横杆が連結されるとしている。
【０００８】
その一方で、上記したヒンジにあっては、半円形で２段互い違いに組み合わせ形成された板状体に開穿された回動孔にスプリングや止め部を有する上記のＵ字形ピンを挿通し、また、板状体には、Ｕ字形ピンの言わば先端側を挿通させるための固定溝をも形成することから、このヒンジを部品として看るとき、複雑な構成となり、部品コストの低減化による製品コストの低廉化を期待できなくし、したがって、製品コストの低廉化による汎用性の向上を期待できなくする不具合がある。
【０００９】
この発明は、このような現状を鑑みて創案されたものであって、その目的とするところは、折り畳み可能にして移送可能にするのはもちろんのこと、製品コストの低廉化を可能にし得て、その汎用性の向上を期待するのに最適となる足場装置を提供することである。
【課題を解決するための手段】
【００１０】
上記した目的を達成するために、この発明による足場装置の構成を、基本的には、平面形状が矩形になる空間を内側に形成するように配置される四本の縦支柱を有すると共に、左側面および右側面をそれぞれ形成する各一対の縦支柱が上下方向に適宜の間隔を有して配置される複数本の横繋ぎ材で一体的に連結され、この左側面および右側面を形成する縦支柱が正面を形成する左右の縦支柱とされながらこの正面に配置される折り畳み体で連結され、この折り畳み体がそれぞれの基端に連設されたパイプ体からなるソケットを縦支柱に介装させる左方体および右方体を有すると共に、この左方体および右方体の先端部がヒンジ結合部とされ、このヒンジ結合部が縦方向に延在される芯体と、この芯体を内側に挿通させるパイプ体からなるソケットとからなり、芯体の上下端部に左方体あるいは右方体のいずれか一方の先端が連結されるのに対して芯体の上下端部の間に配設のソケットに上記の左方体あるいは右方体のいずれか他方の先端が連結されてなり、左側面および右側面における横繋ぎ材に架け渡される足場板を有してなると共に、各縦支柱の下端部にキャスタを有してなるとする。
【発明の効果】
【００１１】
それゆえ、この発明による足場装置にあっては、足場板の撤去を要するが、四本の縦支柱を有して矩形の平面形状になる内側空間を有する足場装置が折り畳み体の折り畳みによって左右側面を重ねた状態にコンパクト化されると共に、キャスタを利用しての移送が可能になる。
【００１２】
このとき、折り畳み体の折り畳みを可能にするヒンジ結合部が縦方向に延在される芯体と、この芯体を内側に挿通させるパイプ体からなるソケットとからなり、芯体の上下端部に折り畳み体を形成する左方体あるいは右方体のいずれか一方の先端が連結されるのに対して、芯体の上下端部の間に配設のソケットに上記の左方体あるいは右方体のいずれか他方の先端が連結されてなるとするから、部品構成を看るとき、前記した特許文献１に開示のヒンジに比較して、簡単な構成になり、したがって、部品コストの低減化による製品コストの低廉化を期待できることになる。
【００１３】
のみならず、前記した特許文献１に開示のヒンジにあっては、足場板支持部を平面Ｍ字形状に折り畳むとき、二本の折り曲げ横杆の間にヒンジを形成する板状体が挟み込まれる状態になり、その分、このヒンジ部分に嵩張りが表出されることになるが、この発明のヒンジ結合部では、縦方向に延在される芯体にパイプ体からなるソケットが介装される構造とされるから、このヒンジ結合部に嵩張りが表出されなくなる。
【００１４】
その結果、この発明による足場装置にあっては、部品コストの低減化による製品コストの低廉化が可能になり、その汎用性の向上を期待するのに最適となる。
【発明を実施するための最良の形態】
【００１５】
以下に、図示した実施形態に基づいて、この発明を説明するが、この発明による足場装置は、図１、図２および図３に示すように、平面形状が矩形になる空間を内側に形成するように配置される四本の縦支柱１を有する（図２参照）と共に、図３に示す右側面で代表されるように、左側面および右側面をそれぞれ形成する各一対の縦支柱１が上下方向に適宜の間隔を有して配置される複数本の横繋ぎ材２で一体的に連結されてなるとしている。
【００１６】
そして、この足場装置にあっては、左側面および右側面を形成する縦支柱１が正面および背面を形成する左右の縦支柱１とされながらこの正面に配置される折り畳み体３で連結されてなるとしている（図１参照）。
【００１７】
そしてまた、この足場装置にあっては、左側面および右側面における横繋ぎ材２に架け渡される足場板４を有してなると共に、各縦支柱１の下端部にキャスタ５を有してなるとしている（図１および図３参照）。
【００１８】
それゆえ、この足場装置にあっては、使用時の態勢を看ると、正面および左右側面がいわゆる仕切られ、背面が開放された言わば蓋のない函状の平面形状を呈することになり、足場板４上の作業者は、開放されている背面を介して、たとえば、建築物の壁面などに対する諸作業を実践し得ることになる。
【００１９】
そして、この足場装置にあっては、不使用時の移動の際などには、足場板４の撤去を要するが、図４に示すように、折り畳み体３の折り畳み動作で平面Ｗ字状にするようにして左右側面を重ねることで、折り畳みが可能になり、すなわち、いわゆるコンパクト化が可能になり、このコンパクト化された状態での移送を可能にすると共に、このコンパクト化された状態下でのキャスタ６を利用する移動を可能にすることになる。
【００２０】
以上のような前提の下に、まず、縦支柱１は、原則として、いわゆる単管からなるのを基本とし、後述する折り畳み体３や手摺体６の連結や、さらには、アウトリガ構成体７の連設を可能にし得るとしている。
【００２１】
つぎに、一対の縦支柱１と横繋ぎ材２とで形成される、左右側面、すなわち、言うなれば、側面の構成についてであるが、図示するところでは、横繋ぎ材２が上下方向に配置される複数本とされて、いわゆる梯子状に形成されてなるとしている（図３参照）。
【００２２】
このように、横繋ぎ材２が複数本とされて左右側面が梯子状に形成されることで、左右側面におけるいわゆる機械的強度を保障し得ることになると共に、後述する足場板４の架設位置を、すなわち、架設高さを自由に選択できて、この足場装置の利用場面を多くすることになる。
【００２３】
折り畳み体３は、図示するところでは、図１に示すように、いわゆるパイプ構造に形成された一方とされる左方体３０および他方とされる右方体３１を有してなるとし、図５にも示すように、この左方体３０および右方体３１におけるそれぞれの基端に連設されたパイプ体からなるソケット３０ａ，３０ｂおよび３１ａ，３１ｂを縦支柱１に介装させる、すなわち、枢着させるとしている。
【００２４】
そして、この折り畳み体３にあって、左方体３０および右方体３１におけるそれぞれの先端部がヒンジ結合部３２とされるとしており、このヒンジ結合部３２は、図示するところでは、図１および図５に示すように、縦方向に延在される芯体３２ａと、この芯体３２ａを内側に挿通させるパイプ体からなるソケット３２ｂとを有してなるとしている。
【００２５】
このとき、ソケット３２ｂは、図示するところでは、上記したソケット３０ａ，３０ｂおよび３１ａ，３１ｂに比較して、長尺に形成されてなるとしているが、これに代えて、図示しないが、ほぼ同じ長さに形成される二本とされるとしても良いことはもちろんである。
【００２６】
ただ、図示するように、芯体３２ａに介装されるソケット３２ｂが芯体３２ａと同様にいわゆる一本とされる場合には、左方体３０の先端および他方体３１の先端におけるいわゆる一体性をそれぞれ保障する上で有利となる。
【００２７】
そしてまた、この折り畳み体３にあって、一方とされる左方体３０の先端が上記のヒンジ結合部３２を形成する芯体３２ａの上下端部に連結され、他方とされる右方体３１の先端が上記のヒンジ結合部３２を形成するソケット３２ｃに連結されるとしている。
【００２８】
このとき、上記したソケット３０ａ，３１ａは、すなわち、一方とされる左方体３０の上方側の基端に連設のソケット３０ａおよび他方とされる右方体３１の上方側の基端に連設のソケット３１ａは、それぞれの縦支柱１に対していわゆる同じ高さ位置で連結されてなる、すなわち、枢着されてなるとしている。
【００２９】
それに対して、一方とされる左方体３０の上方側の先端が芯体３２ａにおける上側に連結される位置は、上記のソケット３０ａ，３１ａの配設位置と同じとされるが、他方とされる右方体３１における先端のソケット３２ｂに対する連結位置は、上記の芯体３２ａにおける上側位置より下方、すなわち、ソケット３０ａ，３１ａの配設位置より下方とされている。
【００３０】
そして、一方とされる左方体３０の下方側の基端に連設のソケット３０ｂおよび他方とされる右方体３１の下方側の基端に連設のソケット３１ｂは、それぞれの縦支柱１に対していわゆる同じ高さ位置で枢着されてなるとしているが、一方とされる左方体３０の下方側の先端が連結される芯体３２ａにおける下側位置は、上記のソケット３０ｂ，３１ｂの配設位置より上方とされ、他方とされる右方体３１における先端のソケット３２ｂに対する連結位置は、それよりもさらに上方とされるとしている。
【００３１】
それゆえ、上記したこの発明における折り畳み体３にあっては、これを折り畳むとき、すなわち、前記した図４に示すように、ヒンジ結合部３２を言わば中心にして左方体３０と右方体３１とを重ねるようにするとき、前記した特許文献１に開示の提案に比較して、左方体３０および右方体３１がヒンジ結合部３２を挟み込むような態勢にならず、したがって、いたずらな嵩張りを発現させないことが可能になる。
【００３２】
のみならず、この発明による折り畳み体３にあっては、ヒンジ結合部３２が縦方向に延在される芯体３２ａと、この芯体３２ａを内側に挿通させるパイプ体からなるソケット３２ｂとからなり、芯体３２ａの上下端部に折り畳み体３を形成する左方体３０の先端が連結されるのに対して、この上下端部の間にあるソケット３２ｂに右方体３１の先端が連結されてなるとするから、構成を看るとき、前記した特許文献１に開示のヒンジに比較して、簡単な構成になり、したがって、部品コストの低減化による製品コストの低廉化を期待できることになる。
【００３３】
つぎに、この発明の足場装置にあっては、足場板４が架設される、しかも、着脱可能に架設されるとしているが、これは、この足場装置が足場としてはもちろんのこと、作業台としても利用されることを鑑みた当然の結果である。
【００３４】
すなわち、凡そこの種の足場装置が足場板４を有するのは言わば当然であって、そのとき、あらかじめ設定された一箇所のみ、すなわち、たとえば、特許文献１に開示されているように、足場板が縦支柱１の上端位置となる一定の高さ位置にのみ架設されるとすると、その足場装置の利用範囲を狭めることになる。
【００３５】
それに対して、この発明では、足場板４は、左側面および右側面における横繋ぎ材２に架け渡されるとしているから、また、この横繋ぎ材２は、前述したように、左側面および右側面において上下方向に適宜の間隔を有する複数本配置とされているから、言わば同じレベルにある横繋ぎ材２間に足場板４を架設することが可能になり、その結果、この足場装置の利用範囲を広くすることになる。
【００３６】
ところで、この発明の足場装置にあっては、足場板４が左右側面を形成する横繋ぎ材２に対して着脱可能に連結されるとしており、また、着脱可能に連結するについては、基本的には自由な構成が選択されて良いとしている。
【００３７】
そして、この発明にあって、足場板４を横繋ぎ材２の上に載置するとき、すなわち、架けるときには、足場板４の端部に形成の凹部４ａ（図６および図７参照）に横繋ぎ材２が嵌装されるようになり、足場板４の軸線方向への移動が阻止されるとしている。
【００３８】
それゆえ、横繋ぎ材２の上に載置された足場板４にあっては、これが跳ね上がる、すなわち、横繋ぎ材２から浮き上がることを阻止するいわゆるストッパ機構を有すれば良く、その構成については自由に選択できるとしている。
【００３９】
そして、ストッパ機構としては、たとえば、図６に示すところでは、コイルバネ４１の附勢力で前進状態に維持されて足場板４の底面との間に横繋ぎ材２を鋏み込むスライドピン４２を有してなるとし、また、図７に示すところでは、足場板の内側側面に連結されたホルダ４３に保持されたスライドプレート４４が前進状態に維持されるとき、横繋ぎ材２を足場板４との間に挟み込むとしている。
【００４０】
さらに、この発明の足場装置にあっては、左右側面および正面を形成する各縦支柱１の下端部にキャスタ５を有してなるとしており、前記したように、このキャスタ５を利用しての不使用時の移送を可能にするとしている。
【００４１】
ところで、この発明の足場装置にあって、キャスタ５を有することについてだが、要は、この足場装置の不使用時における移送を可能にするものであれば足り、したがって、この観点からすれば、キャスタ５を縦支柱１の下端に着脱可能に有するとしても良いことはもちろんである。
【００４２】
また、キャスタ５を縦支柱１の下端に着脱可能ではなく言わば固定的に設けるとしても、たとえば、図示しないが、跳ね上げ式に形成されていて、この足場装置を所定位置に定着させるときには、キャスタ５を跳ね上げて関与させないようにする構成としても良い。
【００４３】
一方、この発明の足場装置にあっては、上記したところ以外に、縦支柱１が手摺体６の連結やアウトリガ構成体７の連設を可能にするとしているのは、前述した通りであるが、以下には、この手摺体６およびアウトリガ構成体７について少し説明する。
【００４４】
まず、手摺体６は、図示するところにあって、正面および背面を形成するそれぞれの左右となる縦支柱１の上端部に架け渡されるようにそれぞれ着脱可能に連結されるととしている。
【００４５】
そして、この手摺体６は、図８に示すように、左右のいずれか一方の端部に、すなわち、図８に示すところでは、右方の端部に基端部を枢着させながら先端部を水平方向に旋回可能にして、図示しないが、対向する手摺体６への連結を可能にする横向きＵ字状に形成された埒体６１を有してなると共に、この埒体６１が図８（Ａ）中に曲線矢印で示すように折り畳まれるとき、同じく図８（Ｂ）に示すように手摺体６の平面内に収装されるとしている。
【００４６】
ちなみに、この埒体６１は、手摺としても機能するのはもちろんであるが、作業者の足場板４上からの墜落を阻止するための柵としても機能するから、また、手摺体６が正面側および背面側に設けられることで、また、この手摺体６に対向手摺体６における埒体６１が連結されることで、いわゆる囲まれた安全な作業空間を形成することになる。
【００４７】
以上からすれば、この手摺体６における埒体６１は、上記した横向きＵ字状に形成されることに変えて、図示しないが、ほぼ矩形の正面形状を呈するループ状に形成されてなるとしても良く、この場合には、埒体６１における自己支持性を向上させることが可能になる。
【００４８】
つぎに、アウトリガ構成体７は、図１、図２および図３に示すように、左右側面を形成する各一対の縦支柱１の下端部に固定的に設けられるとするもので、この足場装置における設置時の、すなわち、使用時の安定性を保障するために設けられるとしている。
【００４９】
そのため、このアウトリガ構成体７にあっては、図示するところでは、上記一対となる各縦支柱１の下端部に一体的に連結されながら、図３に示すように、図中で左側となる正面側および図中で右側となる背面側に延びて下端部にキャスタ５を保持する拡幅脚７１と、この拡幅脚７１に保持されるアウトリガ７２とを有してなるとしている。
【００５０】
そして、キャスタ５自体については、前記したところと同様に形成されていて、すなわち、不使用時の足場装置の移送を可能にするように形成されてなるとしており、拡幅脚７１は、縦支柱１の下端部に固定的に連設されてなるとし、左右側面の下端におけるいわゆる接地幅を大きくして、この左右側面の自立性を向上させるとしている。
【００５１】
一方、アウトリガ７２は、図９（Ｂ）に示すように、正面形状をほぼＬ字状にするように形成されていて、上記の拡幅脚７１にブラケット７３を介して回動可能に保持されるとし、このとき、ブラケット７３に介装される部位には図９（Ｃ）に示すように凹部７２ａを有し、この凹部７２ａにブラケット７３に螺装された蝶ボルト７３ａの先端が導入されて固定されるとき、このアウトリガ７２のいわゆる固定が実現されるとしている。
【００５２】
そして、このアウトリガ７２にあっては、蝶ボルト７３ａが弛められて上記の凹部７２ａから抜き出されるようになるとき、ブラケット７３に保持された状態のまま水平方向に回動可能とされることになり、たとえば、図４中に矢印で示すように、左右側面に沿うようにするいわゆる折り畳みが可能とされることになる。
【００５３】
それゆえ  以上のように形成されたこの発明の足場装置にあっては、その使用時には、作業者が足場板４上に立ち入って、諸作業を実践し得るとことになり、このとき、縦支柱１の上端部に手摺体６が連設されることで作業者の安全が積極的に保障され、縦支柱１の下端部にアウトリガ構成体７が連設されることで所定位置に設置されたこの足場装置の安定性が積極的に保障されることになる。
【００５４】
そして、この足場装置にあっては、折り畳み体３を有していて、この折畳み体３を折り畳むことによって足場装置のコンパクト化が可能になるとしているが、その一方で、使用時に折り畳み体３が不用意に折り畳まれることがないようにするために、また、足場板４上に立ち入る作業者の安全を保障する上で、たとえば、図１０および図１１に示すように、背面を形成する左右の縦支柱１がこの配面に着脱可能に配置されるブレース１４で連結されてなるとしている。
【００５５】
ちなみに、このブレース１４については、この足場装置にあって、横繋ぎ材２に足場板４を架設するとする場合には、この足場装置が折り畳まれることを危惧しなくて済むことになるので、このブレース１４の配置が省略されるとしても良いことはもちろんである。
【００５６】
そしてまた、この発明の足場装置にあっては、不使用時の移動の際などには、足場板４を撤去した後に、折り畳み体３の折り畳みでいわゆるコンパクト化した状態でのキャスタ５利用による移動が可能とされることになる。
【００５７】
ちなみに、この発明の足場装置にあっては、この足場装置が設置されているいわゆる床面の状況やこの足場装置が設置されている空間の状況などによっては、この足場装置を折り畳むことなく、すなわち、足場板４を撤去しないいわゆる組みあがった状態のまま、キャスタ５を利用して移動させるとしても良いことはもちろんである。
【００５８】
ところで、この発明の足場装置にあっては、上記した形態に実施される一方で、図１０および図１１に示す形態にも実施できるので、以下には、これについて説明する。
【００５９】
すなわち、図１０および図１１に示す実施形態では、図１２に示す延長枠８を利用するとするもので、この延長枠８は、前記した縦支柱１の上端部に下端部が分離可能に連結されて、図１２（Ａ）に示すように、平面形状が矩形になる空間を内側に形成する四本の縦材１１を有してなる。
【００６０】
そして、この縦材１１は、基本的には、前記した縦支柱１と同様に構成されてなるとするもので、それゆえ、この延長枠８にあっては、図１２（Ｃ）に示すように、前記した横繋ぎ材２と同様に構成された横繋ぎ材１２を有し、また、図１２（Ｂ）に示すように、前記した折り畳み体３と同様に構成された折り畳み体１３を有してなるとしている。
【００６１】
すなわち、この延長枠８にあっては、左側面および右側面をそれぞれ形成する各一対の縦材１１が上下方向に適宜の間隔を有して配置される複数本の横繋ぎ材１２で一体的に連結され、この左側面および右側面を形成する縦材１１が正面を形成する左右の縦材１１とされながらこの正面に配置される折り畳み体１３で連結され、要する場合には、背面を形成する左右の縦材１１がブレース１４（図１０および図１１参照）で連結されてなるとしている。
【００６２】
そして、折り畳み体１３は、いわゆるパイプ構造に形成された一方とされる左方体１３０および他方とされる右方体１３１を有してなるとし、この左方体１３０および右方体１３１は、それぞれの基端に連設されたパイプ体からなるソケット１３０ａ，１３０ｂおよび１３１ａ，１３１ｂを縦材１１に介装させる、すなわち、基端が縦材１１に枢着されるとしている。
【００６３】
そしてまた、この折り畳み体１３にあっては、左方体１３０および右方体１３１の先端部がヒンジ結合部１３２とされ、このヒンジ結合部１３２が縦方向に延在される芯体１３２ａと、この芯体１３２ａを内側に挿通させるパイプ体からなるソケット１３２ｂとからなり、芯体１３２ａの上下端部に左方体あるいは右方体のいずれか一方の先端が連結されるのに対して芯体１３２ａの上下端部の間に配設のソケットに上記の左方体あるいは右方体のいずれか他方の先端が連結されてなり、左側面および右側面における横繋ぎ材への足場板の架け渡しを許容するとしている。
【００６４】
それゆえ、この延長枠８にあって、折り畳み体１３は、前記した折り畳み体３と同様の作用効果を呈しながら折り畳まれることになる。
【００６５】
すなわち、折り畳み体１３は、前記した図４に示すところと同様に、ヒンジ結合部１３２を中心にして左方体１３０と右方体１３１とを重ねるように折り畳むとき、左方体１３０および右方体１３１がヒンジ結合部１３２を挟み込むような態勢にならず、したがって、いたずらな嵩張りを発現させないことが可能になる。
【００６６】
そして、この折り畳み体１３にあっても、ヒンジ結合部１３２が縦方向に延在される芯体１３２ａと、この芯体１３２ａを内側に挿通させるパイプ体からなるソケット１３２ｂとからなり、芯体１３２ａの上下端部に折り畳み体３を形成する左方体１３０の先端が連結されるのに対して、この上下端部の間にあるソケット１３２ｂに右方体１３１の先端が連結されてなるとするから、前記した折り畳み体３と同様に、部品構成を看るとき、簡単な部品構成になり、したがって、部品コストの低減化による製品コストの低廉化を期待できることになる。
【００６７】
そしてまた、この調整枠８にあっても、図１０に示すように、横繋ぎ材１２を利用しての足場板４の架設が可能になり、また、正面および背面において左右で一対となる縦材１１の上端部への手摺体６の連結が可能とされることになる。
【００６８】
つぎに、この発明による足場装置がいわゆる左右側で段差のある傾斜地や階段に設置される場合には、図１３および図１４に示すように、高さ調整枠９が利用されるとしている。
【００６９】
すなわち、この高さ調整枠９は、左右側面のいずれか一方を形成する、すなわち、図示するところでは、右側面を形成する左右で一対となる縦支柱１の下端部にそれぞれの上端部が連結されて縦支柱１の下方に延在されるパイプ体９１を有しており、図１５に示すように、このパイプ体９１が上下方向に複数本となる横繋ぎ材９２で一体的に連結されてなるとしている。
【００７０】
そして、この高さ調整枠９は、パイプ体９１の下端側に補助パイプ９３の上端側を出没可能に挿通してなるとし、この補助パイプ９３の出没位置の選択で下端位置のいわゆる調整を可能にするとしている。
【００７１】
なお、この高さ調整枠９にあって、補助パイプ９３は、縦方向に適宜の間隔で開穿された複数の横孔９３ａ（図１５（Ａ）参照）を有してなり、図示しないが、パイプ９１を挿通するピンが選択された横孔９３ａを挿通することで、パイプ９１に対する出没位置が決まるとしている。
【００７２】
それゆえ、この高さ調整枠９にあっては、いわゆる左右における高さの差を補正するように、パイプ９１から補助パイプ９３を引き出すようにすれば良いが、より適正な補正を実現するには、補助パイプ９３の下端と、たとえば、地表面との間に補正板を介在させるようにするのが好ましいであろう。
【００７３】
一方、この高さ調整枠９は、図１５（Ａ）および図１５（Ｄ）に示すように、パイプ体９１の上端部に掛け止め具９４を有するとしており、この掛け止め具９４は、縦支柱１の外周に連結される横繋ぎ材９２の両端部２ａの上からの導入を許容する溝９４ａを有するとしている。
【００７４】
また、この高さ調整枠９にあっては、図１５（Ｃ）に示すように、パイプ体９１に連設されたホルダ９５を有してなり、このホルダ９５が縦支柱１を抱き込むようになるとしている。
【００７５】
それゆえ、この高さ調整枠９にあっては、上記の掛け止め具９４で縦支柱１を吊り下げる状態になり、この状態下に、上記のホルダ９５で縦支柱１に対してパイプ体９１が位置ずれすることを阻止するとしている。
【００７６】
そして、この高さ調整枠９にあっては、図１６に示す連結具たる止め具９６を有してなるとしており、この止め具９６は、縦支柱１とパイプｔ来９１を同時に抱き込むフックピン９６ａと、このフックピン９６ａに介装されてフックピン９６ａとの間で縦支柱１およびパイプ９１を挟むブラケット９６ｂとを有してなり、このブラケット９６ｂがフックピン９６ａに螺装される蝶ナット９６ｃの捩じ込みで、縦支柱１およびパイプ９１を一体状態に保持するとしている。
【００７７】
図１７は、この発明による足場装置の一利用例を示すもので、この利用例の場合には、足場板４が比較すれば下方側となる横繋ぎ材２に架設されるとするから、手摺体６（図１および図３参照）を撤去した状態で利用されるとしている。
【００７８】
尤も、この利用例にあっても、縦支柱１は、下端部にキャスタ５を有するとしているので、作業を中断する作業者は、足場板４上から降りて、この足場装置を所定位置に移動させ、そこで再度足場板４上に立ち入って作業を続行することが可能になる。
【００７９】
図１８は、この発明による足場装置の他の利用例を示すもので、この利用例の場合には、ブリッジ１０を併用するとしており、このブリッジ１０を二基の足場装置に掛渡すようにするとき、広範囲にわたるいわゆる足場を確保することが可能になり、一基の足場装置を使いまわしする、すなわち、移動させる場合に比較して、足場装置の設置作業が容易になる。
【図面の簡単な説明】
【００８０】
【図１】この発明による足場装置を示す正面図である。
【図２】図１の状態から手摺体を撤去した状態の足場装置を示す平面図である。
【図３】図１の足場装置を示す右側面図である。
【図４】図２の状態から足場板を撤去して折り畳んだ状態の足場装置を示す平面図である。
【図５】折り畳み体を部分的に示す正面図である。
【図６】図２中のＡ−Ａ線位置で見る足場板におけるストッパ機構を示す部分縦断面図である。
【図７】足場板におけるストッパ機構を図６と同様に示す図である。
【図８】手摺体を示し、（Ａ）は、平面図、（Ｂ）は、正面図である。
【図９】アウトリガ構成体におけるアウトリガを示し、（Ａ）は、平面図、（Ｂ）は、正面図、（Ｃ）は、（Ｂ）中のＢ−Ｂ線位置でのみ示す断面図である。
【図１０】延長枠を併用した足場装置を図１と同様に示す図である。
【図１１】図１０の足場装置の右側面を図３と同様に示す図である。
【図１２】延長枠を示し、（Ａ）は、平面図、（Ｂ）は、正面図、（Ｃ）は、右側面図である。
【図１３】調整枠を併用した足場装置を図１と同様に示す図である。
【図１４】図１３の足場装置の右側面を図３と同様に示す図である。
【図１５】（Ａ）は、延長枠の正面図、（Ｂ）は、延長枠の右側面図、（Ｃ）は、延長枠を縦支柱に抱かせた状態を示すか部分拡大横断面図、（Ｄ）は、延長枠の上端部が縦支柱に掛け止めされた状態を示す拡大部分正面図である。
【図１６】延長枠を縦支柱に連結させる止め具を示し、（Ａ）は、平面図、（Ｂ）は、側面図である。
【図１７】手摺体を外した足場装置の利用例を示し、（Ａ）は、平面図、（Ｂ）は、正面図、（Ｃ）は、右側面図である。
【図１８】ブリッジを併用した足場装置の利用例を示し、（Ａ）は、側面図、（Ｂ）は、正面図である。
【符号の説明】
【００８１】
１  縦支柱
２，１２  横繋ぎ材
３，１３  折り畳み体
４  足場板
４ａ  凹部
５  キャスタ
６  手摺体
７  アウトリガ構成体
８  延長枠
９  高さ調整枠
１１  縦材
１４  ブレース
３０，１３０  左方体
３０ａ，３０ｂ，３１ａ，３１ｂ，３２ｂ，１３０ａ，１３０ｂ，１３１ａ，１３１ｂ，１３２ｂ  ソケット
３１，１３１  右方体
３２，１３２  ヒンジ結合部
３２ａ，１３２ａ  芯体
４２  ストッパ機構を構成するスライドピン
４４  ストッパ機構を構成するスライドプレート
６１  埒体
７１  拡幅脚
７２  アウトリガ
【図１】
2008267050.tif 000003
【図２】
2008267050.tif 000004
【図３】
2008267050.tif 000005
【図４】
2008267050.tif 000006
【図５】
2008267050.tif 000007
【図６】
2008267050.tif 000008
【図７】
2008267050.tif 000009
【図８】
2008267050.tif 000010
【図９】
2008267050.tif 000011
【図１０】
2008267050.tif 000012
【図１１】
2008267050.tif 000013
【図１２】
2008267050.tif 000014
【図１３】
2008267050.tif 000015
【図１４】
2008267050.tif 000016
【図１５】
2008267050.tif 000017
【図１６】
2008267050.tif 000018
【図１７】
2008267050.tif 000019
【図１８】
2008267050.tif 000020